(57)【要約】【課題】軒天の施工前に、水切部材を取り付けて施工することが可能になり、軒天の施工業者の都合により、外壁工事の業者の施工日程が遅れ、工事の段取りが不自由になることが無くなる、軒天と建築用パネルによる壁面とのコーナーに使用する建築用部材と壁構造を得る。【解決手段】下地に固定具により固定する固定片と、その固定片を表面側にくの字形に折り曲げた水切面とを持つ、金属板を成形した水切部材と、その水切面の端部の、固定片に平行方向へ延長した位置から、前記の固定片の延長線を越える固定片にほぼ直交する被覆面を持つ、金属板を成形した被覆部材とから構成する建築用部材とする。【選択図】            図１
2005127111.tif 000002
【特許請求の範囲】
【請求項１】
下地に固定具により固定する固定片と、その固定片を表面側にくの字形に折り曲げた水切面とを持つ、金属板を成形した水切部材と、その水切面の端部の、固定片に平行方向へ延長した位置から、前記の固定片の延長線を越える固定片にほぼ直交する被覆面を持つ、金属板を成形した被覆部材とから構成することを特徴とする建築用部材。
【請求項２】
被覆部材との幅方向の位置決めをする案内機構を持つ、水切部材により構成することを特徴とする請求項１記載の建築用部材。
【請求項３】
前記の案内機構が、被覆部材を固定する機能を持つ、水切部材により構成することを特徴とする請求項２記載の建築用部材。
【請求項４】
前記の被覆部材を固定する機能を持つ、支持部材により構成することを特徴とする請求項１〜請求項３記載の建築用部材。
【請求項５】
請求項１〜請求項４記載の建築用部材により構成することを特徴とする壁構造。
【発明の詳細な説明】
【技術分野】
【０００１】  この発明は、軒天の外側上方に、建築用パネルを施工する時、軒天と建築用パネルによる壁面とのコーナーに使用する建築用部材と、それを使用する壁構造に関する。
【背景技術】
【０００２】  従来、軒天の外側上方に、建築用パネルを施工する場合に、軒天の下地幅と、軒天の下地幅方向の長さが合わず、美観を損ねていた。その為、その間のコーナー部に施工する水切部材の、下端部を下地方向に延長し、軒天のコーナー部の端部を覆う技術が知られている。【０００３】
【非特許文献１】  「ＣＡＴＡＬＯＧＵＥ２１プラスチック・アルミニウム内外装総合成型建材」，株式会社サトウ巧材，２００１年１１月，Ｐ．９３−９８
【発明の開示】
【発明が解決しようとする課題】
【０００４】  従来の技術には、水切部材の下端部を下地方向に延長し、軒天のコーナー部の端部を覆うため、
ａ．軒天の施工後に、水切部材を取り付けて施工すると、
イ．軒天の施工業者の都合により、外壁工事の業者の施工日程が遅れ、工事の段取りが不自由になり、
ｂ．水切部材の施工後に、軒天を取り付けて施工すると、
イ．水切部材の下端部が、軒天の施工時に邪魔になり、施工性が落ち、
ロ．水切部材の下端部により、軒天に釘打ちした、固定具の釘等が隠せない。
【課題を解決するための手段】
【０００５】  この発明による建築用部材は、下地に固定具により固定する固定片と、その固定片を表面側にくの字形に折り曲げた水切面とを持つ、金属板を成形した水切部材と、その水切面の端部の、固定片に平行方向へ延長した位置から、前記の固定片の延長線を越える固定片にほぼ直交する被覆面を持つ、金属板を成形した被覆部材とから構成する。
【発明の効果】
【０００６】  上記のような、この発明による建築用部材には、次の様な効果がある。【０００７】Ａ．下地に固定する固定片と、その固定片を表面側にくの字形に折り曲げた水切面とを持つ、金属板を成形した水切部材と、その水切面の端部の、固定片に平行方向へ延長した位置から、前記の固定片の延長線を越える固定片にほぼ直交する被覆面を持つ、金属板を成形した被覆部材とから構成する建築用部材を使用することにより、
ａ．軒天の施工前に、水切部材を取り付けて施工することが可能になり、
イ．被覆部材の被覆面が、軒天の施工時に邪魔にならずに、施工性が向上し、
ロ．被覆部材の被覆面により、軒天に釘打ちした、固定具の釘等を隠し、美観が向上し、
ｂ．軒天の施工業者の都合により、外壁工事の業者の施工日程が遅れ、工事の段取りが不自由になることが無くなり、
イ．金属板製の屋根材と建築用パネルの場合、屋根工事に続けて外壁工事を同一の業者が続けて施工可能になり、
ロ．中断によるコストアップを防止して、コストダウンになる。【０００８】Ｂ．被覆部材との幅方向の位置決めをする案内機構を持つ、水切部材により構成することにより、
ａ．水切部材との幅方向の位置関係において、被覆部材を施工することが、
イ．容易に施工可能になり、施工コストが下がり、
ロ．被覆部材と水切部材との位置関係において、幅方向のバラツキが無くなり、美観が向上する。【０００９】Ｃ．幅方向の位置決めをする案内機構が被覆部材を固定する機能を持つ、水切部材により構成することにより、
ａ．水切部材と被覆部材との、２種類の部材により施工することが可能になり、
イ．部材数が減り、施工手間が減る。【００１０】Ｄ．前記の被覆部材を固定する機能を持つ、支持部材により構成することにより、
ａ．被覆部材と支持部材に最適な嵌合形態が可能になり、
ｂ．水切部材と被覆部材の形状が簡素化する。【００１１】Ｅ．上記の建築用部材により構成する壁構造とすることにより、
ａ．被覆部材を軒天の施工後に施工可能になり、
イ．施工時に部材を損傷することが少なくなり、
ｂ．また、損傷した被覆部材を交換することも可能になり、
ｃ．建築用部材の意匠が重厚になり意匠性が向上する。
【発明を実施するための最良の形態】
【００１２】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板等
ｄ．場合によっては、合成樹脂等を使用する。【００１３】Ｂ．この発明に使用される釘打ちは、
ａ．釘打ちには、次に代表される、固定具を使用する。
イ．タッピングビス
ロ．釘
ハ．ホッチキス
ニ．木ネジ
ホ．ポップリベット等【００１４】Ｃ．この発明に使用される建築用パネルは、
ａ．金属板の成形による建築用パネルや、
ｂ．金属板の成形によるパネルに、次の様な裏打材を裏打した建築用パネルや、
イ．裏面紙に発泡合成樹脂を注入発泡させたボード、
ロ．石膏ボード等の無機ボード、
ｃ．パルプ混入セメント板等のセメント板や、
ｄ．発泡軽量コンクリート板や、
ｅ．その他の乾式工法の建築用パネルである。【００１５】Ｄ．この発明に使用される軒天は、
ａ．次に代表される軒天用ボードや、
イ．フレキシブルボード等のセメント板、
ロ．ケイカル板等の耐火断熱板、
ｂ．外壁材に使用した建築用パネルや、
ｃ．その他の乾式工法の建築用パネルである。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、この発明の実施例１を示すものである。【００１８】Ａ．図６に示す、この発明の実施例１においての建築用パネル１は、
ａ．金属板７による長尺の表面材１ａを成形して、次のような前面部１ｃと溝部１ｄとを持つ、前面基部１ｂを形成し、
イ．ほぼ平坦で細長い前面部１ｃと、
ロ．裏面側に長い底辺を欠いた等脚台形に折り曲げた、溝部１ｄとを、
ハ．交互に複数構成し、その両側に前面部１ｃを設けた前面基部１ｂとし、
ｂ．その前面基部１ｂの一側端に、次のような差込片１ｆを持つ、差込部１ｅを形成し、
イ．表面材１ａを裏面側にくの字形に折り曲げ、さらに表面側にくの字形に折り曲げ、
ロ．さらに、コの字形に裏面側に折り曲げて、そして、Ｕ字形に表面側に折り曲げて、先端を裏面側に折り返した差込片１ｆを形成を持つ、差込部１ｅを形成し、
ｃ．また、その前面基部１ｂの他側端に、次のような嵌合溝１ｈと釘打片１ｉとを持つ、釘打部１ｇを形成し、
イ．表面材１ａを、裏面側にくの字形に折り曲げて、さらに表面側にくの字形に折り曲げ、そして裏面側に折り返して、次にＵ字形に表面側に折り曲げて、嵌合溝１ｈを形成し、
ロ．その嵌合溝１ｈを延長し、先端を表面側に折り返した釘打片１ｉを持つ、釘打部１ｇを形成し、
ｄ．そして、その成形した表面材１ａの裏面側に、
イ．差込部１ｅと釘打部１ｇの、折り返した溝に裏面紙１ｋの両側端を挿入し、
ロ．その裏面紙１ｋにより覆われた発泡合成樹脂による、裏打材１ｊを形成し、
ハ．その長手方向の端部に切断端１ｌを形成している、構成としている。【００１９】Ｂ．図３に示す、実施例１においての、被覆部材３は、
ａ．長尺の金属板７を成形して、
ｂ．細長く平坦な面の一端を裏面側にくの字形に折り曲げて、その先端を裏面側に折り返した被覆面３ａを形成し、
ｃ．その被覆面３ａの他端を裏面側にＬ字形に折り曲げて、さらに表面側に折り返した、次のような複数の係止爪３ｃを持つ係止片３ｂを形成し、
イ．係止爪３ｃは係止片３ｂの金属板７を、
ロ．船底を係止片３ｂの折り返し側に向けた、ほぼ半裁された船形に係止片３ｂの両側に交互に突起させ、
ハ．船縁側が切断され、金属板７のほぼ２枚分程度の段差を形成し、
ｄ．その係止片３ｂを裏面側にコの字形に折り曲げて、先端を裏面側に折り返した差込端３ｄを形成している。【００２０】Ｃ．図５に示す、実施例１においての、水切部材２は、
ａ．長尺の金属板７を成形して、
ｂ．細長く平坦な面の一端を裏面側に折り返した固定片２ａを形成し、
ｃ．その固定片２ａの他端を表面側にくの字形に折り曲げて、水切面２ｂを形成し、
ｄ．その水切面２ｂを裏面側にくの字形に折り曲げて、水切前面２ｃを成形し、
ｅ．その水切前面２ｃを裏面側にＬ字形に折り曲げて、水切下面２ｄを形成し、
ｆ．その水切下面２ｄを、前記の固定片２ａの延長線の手前において、裏面側にＬ字形に折り曲げて、案内片２ｅを形成している。【００２１】Ｄ．図４に示す、実施例１においての、支持部材４は、
ａ．合成樹脂９を長尺に成形して、
ｂ．細長く平坦な面の固定面４ａを形成し、
ｃ．その固定面４ａの一端を表面側にＬ字形に折り曲げて、案内突起４ｆを形成し、
ｄ．その固定面４ａの他端を表面側にクランク状に折り曲げて、その先端に略音叉形の、次のような掛止溝４ｅを形成し、
イ．その掛止溝４ｅは、その先端に次のような複数の掛止爪４ｄを持つ、相対する掛止片４ｃからなり、
ロ．掛止爪４ｄは掛止片４ｃから隆起する、断面が短辺と長辺からなる山形で、その短辺が掛止片４ｃに直交し、長辺が先端部側に位置する。【００２２】Ｅ．図１、図２、及び図７に示す、実施例１の施工は、
ａ．下地柱５ｂの下端部に端下地材５ｃを取り付けて、その内壁側に野縁５ａを取り付けた下地５に、
ｂ．次のように支持部材４を施工し、
イ．取り付けられた端下地材５ｃの外壁側に、その固定面４ａを上方に向けて、固定具８の釘８ａにより釘打ち固定し、
ｃ．その施工した支持部材４に、次のように水切部材２を乗せて取り付け、
イ．支持部材４の案内突起４ｆに、水切部材２の水切面２ｂを乗せて、
ロ．その水切部材２の固定片２ａを、釘８ａにより釘打ち固定し、
ｄ．その取り付けた水切部材２に、次のように建築用パネル１を合わせて複数施工し、
イ．水切部材２の水切面２ｂに建築用パネル１の切断端１１を乗せて、
ロ．その差込部１ｅを固定した、釘打片１ｉを釘８ａにより釘打ち固定し、
ハ．その固定した建築用パネル１の嵌合溝１ｈに、他の建築用パネル１の差込片１ｆを差し込み、その釘打片１ｉを釘８ａにより釘打ち固定し、
ニ．上記を繰り返し、建築用パネル１と建築用パネル１との間に目地部１ｍを形成して複数施工し、
ｅ．次に、前記の野縁５ａの下面に、軒天６を釘８ａにより釘打ち固定し、
ｆ．そして、前記の支持部材４の掛止溝４ｅに、被覆部材３の係止片３ｂを差し込み、
イ．掛止溝４ｅの掛止爪４ｄに、係止片３ｂの係止爪３ｃを引っ掛けて、引掛固定し、
ロ．水切部材２の案内片２ｅに、被覆部材３の差込端３ｄを当てて、
ハ．前記の軒天６を釘打ちした釘８ａを、被覆部材３の被覆面３ａにより被覆し、
ｇ．また、軒天６の施工後に、建築用パネル１の施工も可能である。
【実施例２】
【００２３】  図６，図７，図８，図９，図１０，及び図１１は、この発明の実施例２を示すものである。【００２４】Ａ．図６に示す、この発明の実施例２においての建築用パネル１は、実施例１と同じものである。【００２５】Ｂ．図１０に示す、実施例２においての、被覆部材３は、
ａ．長尺の金属板７を成形して、
ｂ．細長く平坦な面の両側端を裏面側にくの字形に折り曲げて、その先端を裏面側に折り返し、さらにくの字形におもて面に沿って折り曲げた被覆面３ａを形成し、
ｃ．その被覆面３ａを、両側端からのほぼ中央において、表面側にＬ字形に折り曲げて、さらに一方を裏面側に折り返した、次のような複数の係止爪３ｃを持つ係止片３ｂを形成し、
イ．係止爪３ｃは係止片３ｂの金属板７を、
ロ．船底を係止片３ｂの折り返し側に向けた、ほぼ半裁された船形に係止片３ｂの両側に交互に突起させ、
ハ．船縁側が切断され、金属板７のほぼ２枚分程度の段差を形成している。【００２６】Ｃ．図１１に示す、実施例２においての、水切部材２は、
ａ．長尺の金属板７を成形して、
ｂ．細長く平坦な面の一端を裏面側に折り返した固定片２ａを形成し、
ｃ．その固定片２ａの他端を表面側にくの字形に折り曲げて、水切面２ｂを形成し、
ｄ．その水切面２ｂを裏面側にくの字形に折り曲げて、水切前面２ｃを成形し、
ｅ．その水切前面２ｃを裏面側に半円形に折り曲げて、さらに４分の１円形に表面側に折り曲げて水切突起２ｆを形成し、
ｆ．その水切突起２ｆを延長して水切下面２ｄを形成し、
ｇ．その水切下面２ｄを、前記の固定片２ａの延長線の少し手前において、裏面側にＬ字形に折り曲げて、次のような連結溝２ｈを形成し、
イ．その連結溝２ｈは、表面側に折れ曲がった断面が、ほぼフック状を呈し、その先端を表面側に折り返して、引掛片２ｇを形成している。【００２７】Ｄ．図７、図８、及び図９に示す、実施例２の施工は、
ａ．下地柱５ｂの下端部に端下地材５ｃを取り付けて、その内壁側に野縁５ａを取り付けた下地５に、
ｂ．その野縁５ａの下面に、軒天６を固定具８の釘８ａにより釘打ち固定し、
ｃ．次に、次のように水切部材２を取り付け、
イ．水切部材２の水切下面２ｄを、前記の軒天６下面のレベルにほぼ合わせて、
ロ．その水切部材２の固定片２ａを、釘８ａにより釘打ち固定し、
ｄ．その取り付けた水切部材２に、次のように建築用パネル１を合わせて複数施工し、
イ．水切部材２の水切面２ｂに建築用パネル１の切断端１ｌを乗せて、
ロ．その差込部１ｅを固定した、釘打片１ｉを釘８ａにより釘打ち固定し、
ハ．その固定した建築用パネル１の嵌合溝１ｈに、他の建築用パネル１の差込片１ｆを差し込み、その釘打片１ｉを釘８ａにより釘打ち固定し、
ニ．上記を繰り返し、建築用パネル１と建築用パネル１との間に目地部１ｍを形成して複数施工し、
ｅ．そして、その水切部材２の連結溝２ｈに、被覆部材３の係止片３ｂを差し込み、
イ．連結溝２ｈの引掛片２ｇに、係止片３ｂの係止爪３ｃを引っ掛けて、引掛固定し、
ロ．水切部材２の水切下面２ｄと、前記の軒天６とに、被覆部材３の被覆面３ａを渡して、
ハ．前記の軒天６を釘打ちした釘８ａを、被覆部材３の被覆面３ａにより被覆し、
ｆ．また、建築用パネル１の施工後に、軒天６の施工も可能である。
【実施例３】
【００２８】    図６，図７，図１２，図１３，図１４，図１５，及び図１６は、この発明の実施例３を示すものである。【００２９】Ａ．図６に示す、この発明の実施例３においての建築用パネル１は、実施例１と同じものである。【００３０】Ｂ．図１４に示す、実施例３においての、被覆部材３は、
ａ．長尺の金属板７を成形して、
ｂ．その金属板７の中央において、表面側に折り返した、次のような複数の係止爪３ｃを持つ係止片３ｂを形成し、
イ．係止爪３ｃは係止片３ｂの金属板７を、
ロ．船底を係止片３ｂの折り返し側に向けた、ほぼ半裁された船形に係止片３ｂの両側に交互に突起させ、
ハ．船縁側が切断され、金属板７のほぼ２枚分程度の段差を形成し、
ｃ．その係止片３ｂをＴ字形に左右に広げ、細長く平坦な面の両側端を裏面側にくの字形に折り曲げて、さらに、裏面側にくの字形に折り曲げて、その先端を裏面側に折り返した、被覆面３ａを形成している。【００３１】Ｃ．図１６に示す、実施例３においての、水切部材２は、
ａ．長尺の金属板７を成形して、
ｂ．細長く平坦な面の一端を裏面側に折り返した固定片２ａを形成し、
ｃ．その固定片２ａの他端を表面側にクランク状に折り曲げて、段差を形成する定置段２ｉとそれに続く定置面２ｊを形成し、
ｄ．その定置面２ｊを表面側にくの字形に折り曲げて、水切面２ｂを形成し、
ｄ．その水切面２ｂを裏面側にくの字形に折り曲げて、水切前面２ｃを成形し、
ｅ．その水切前面２ｃを裏面側に鋭角的に折り曲げて、水切突起２ｆを形成し、
ｆ．その水切突起２ｆを延長して水切下面２ｄを形成している。【００３２】Ｄ．図１５に示す、実施例３においての、支持部材４は、
ａ．長尺の金属板７を成形して、
ｂ．次のような掛止溝４ｅを形成し、
イ．その掛止溝４ｅは、底部が半円形の徳利状断面を呈し、その口部に掛止爪４ｄを形成し、
ロ．その掛止爪４ｄをハの字形に広げて開口し、その両端を鋭角的に裏面側に折り曲げて、相対する２枚の掛止片４ｃを形成し、
ｃ．その一方の掛止片４ｃを延長して、くの字形に裏面側に折り曲げて、ほぼ細長く平坦な面で、断面半円状の突起を持つ、固定面４ａを形成する。【００３３】Ｅ．図７、図１２、及び図１３に示す、実施例３の施工は、
ａ．下地柱５ｂの下端部に端下地材５ｃを取り付けて、その内壁側に野縁５ａを取り付けた下地５に、
ｂ．次のように支持部材４を施工し、
イ．取り付けられた端下地材５ｃの外壁側に、その固定面４ａを上方に向けて、固定具８の釘８ａにより釘打ち固定し、
ｃ．その施工した支持部材４に、次のように水切部材２を乗せて取り付け、
イ．支持部材４の固定面４ａの端部に、水切部材２の定置段２ｉを乗せて、
ロ．その水切部材２の固定片２ａを、釘８ａにより釘打ち固定し、
ｄ．その取り付けた水切部材２に、次のように建築用パネル１を合わせて複数施工し、
イ．水切部材２の水切面２ｂに建築用パネル１の切断端１ｌを乗せて、
ロ．その差込部１ｅを固定した、釘打片１ｉを釘８ａにより釘打ち固定し、
ハ．その固定した建築用パネル１の嵌合溝１ｈに、他の建築用パネル１の差込片１ｆを差し込み、その釘打片１ｉを釘８ａにより釘打ち固定し、
ニ．上記を繰り返し、建築用パネル１と建築用パネル１との間に目地部１ｍを形成して複数施工し、
ｅ．次に、前記の野縁５ａの下面に、軒天６を釘８ａにより釘打ち固定し、
ｆ．そして、前記の支持部材４の掛止溝４ｅに、被覆部材３の係止片３ｂを差し込み、
イ．掛止溝４ｅの掛止爪４ｄに、係止片３ｂの係止爪３ｃを引っ掛けて、引掛固定し、
ロ．水切部材２の水切下面２ｄと軒天６とに、被覆部材３の被覆面３ａを当てて、
ハ．前記の軒天６を釘打ちした釘８ａを、被覆部材３の被覆面３ａにより被覆し、
ｇ．また、軒天６の施工後に、建築用パネル１の施工も可能である。
【実施例４】
【００３４】  図６，図７，図１７，図１８，図１９，及び図２０は、この発明の実施例４を示すものである。【００３５】Ａ．図６に示す、この発明の実施例４においての建築用パネル１は、実施例１と同じものである。【００３６】Ｂ．図１９に示す、実施例４においての、被覆部材３は、
ａ．長尺の金属板７を成形して、
ｂ．細長く平坦な面の一端を裏面側にくの字形に折り曲げて、その先端を裏面側に折り返した被覆面３ａを形成し、
ｃ．その被覆面３ａの他端を裏面側にコの字形に折り曲げて、さらに裏面側に折り返した、次のような複数の係止爪３ｃを持つ係止片３ｂを形成し、
イ．係止爪３ｃは係止片３ｂの金属板７を、
ロ．船底を係止片３ｂの折り返し側に向けた、ほぼ半裁された船形に係止片３ｂの両側に交互に突起させ、
ハ．船縁側が切断され、金属板７のほぼ２枚分程度の段差を形成する。【００３７】Ｃ．図２０に示す、実施例４においての、水切部材２は、
ａ．長尺の金属板７を成形して、
ｂ．細長く平坦な面の一端を裏面側に折り返した固定片２ａを形成し、
ｃ．その固定片２ａの他端を表面側にくの字形に折り曲げて、水切面２ｂを形成し、
ｄ．その水切面２ｂを裏面側にくの字形に折り曲げて、水切前面２ｃを成形し、
ｅ．その水切前面２ｃを裏面側に半円形に折り曲げて、さらに４分の１円形に表面側に折り曲げて水切突起２ｆを形成し、
ｆ．その水切突起２ｆを延長して水切下面２ｄを形成し、
ｇ．その水切下面２ｄを、前記の固定片２ａの先端に、次のような連結溝２ｈを形成し、
イ．その連結溝２ｈは、表面側に折れ曲がった断面が、ほぼフック状を呈し、その先端を表面側に折り返して、引掛片２ｇを形成している。【００３８】Ｄ．図７、図１７、及び図１８に示す、実施例４の施工は、
ａ．下地柱５ｂの下端部に端下地材５ｃを取り付けて、その内壁側に野縁５ａを取り付けた下地５に、
ｂ．その野縁５ａの下面に、軒天６を固定具８の釘８ａにより釘打ち固定し、
ｃ．次に、次のように水切部材２を取り付け、
イ．水切部材２の水切下面２ｄに、前記の被覆部材３の係止片３ｂの先端から被覆面３ａの装着時のレベル差を加えたレベルを、前記の軒天６下面のレベルにほぼ合わせて、
ロ．その水切部材２の固定片２ａを、釘８ａにより釘打ち固定し、
ｄ．その取り付けた水切部材２に、次のように建築用パネル１を合わせて複数施工し、
イ．水切部材２の水切面２ｂに建築用パネル１の切断端１ｌを乗せて、
ロ．その差込部１ｅを固定した、釘打片１ｉを釘８ａにより釘打ち固定し、
ハ．その固定した建築用パネル１の嵌合溝１ｈに、他の建築用パネル１の差込片１ｆを差し込み、その釘打片１ｉを釘８ａにより釘打ち固定し、
ニ．上記を繰り返し、建築用パネル１と建築用パネル１との間に目地部１ｍを形成して複数施工し、
ｅ．そして、その水切部材２の連結溝２ｈに、被覆部材３の係止片３ｂを差し込み、
イ．連結溝２ｈの引掛片２ｇに、係止片３ｂの係止爪３ｃを引っ掛けて、引掛固定し、
ロ．水切部材２の水切下面２ｄと、前記の軒天６とに、被覆部材３の被覆面３ａを渡してハ．前記の軒天６を釘打ちした釘８ａを、被覆部材３の被覆面３ａにより被覆し、
ｆ．また、建築用パネル１の施工後に、軒天６の施工も可能である。
【実施例５】
【００３９】  図６，図７，図２１，図２２，図２３，図２４，及び図２５は、この発明の実施例５を示すものである。【００４０】Ａ．図６に示す、この発明の実施例５においての建築用パネル１は、実施例１と同じものである。【００４１】Ｂ．図２３に示す、実施例５においての、被覆部材３は、
ａ．長尺の金属板７を成形して、
ｂ．細長く平坦な面の被覆面３ａを形成し、
ｃ．その被覆面３ａの両側端を裏面側にくの字形に折り曲げて、係止片３ｂを形成し、
ｄ．その係止片３ｂを裏面側に鋭角的に折り曲げて、係止爪３ｃを形成する。【００４２】Ｃ．図２５に示す、実施例５においての、水切部材２は、
ａ．長尺の金属板７を成形して、
ｂ．細長く平坦な面の一端を裏面側に折り返した固定片２ａを形成し、
ｃ．その固定片２ａの他端を表面側にくの字形に折り曲げて、水切面２ｂを形成し、
ｄ．その水切面２ｂを裏面側にくの字形に折り曲げて、水切前面２ｃを成形し、
ｅ．その水切前面２ｃを裏面側に半円形に折り曲げて、さらに４分の１円形に表面側に折り曲げて水切突起２ｆを形成し、
ｆ．その水切突起２ｆを延長して水切下面２ｄを形成し、
ｇ．その水切下面２ｄを、前記の固定片２ａの延長線の手前において、裏面側にＬ字形に折り曲げて、案内片２ｅを形成している。【００４３】Ｄ．図２４に示す、実施例５においての、支持部材４は、
ａ．短尺の金属板７を成形して、
ｂ．ほぼ平坦で矩形の固定面４ａを形成し、
イ．その固定面４ａには、釘打ち用の複数の固定穴４ｂを形成し、
ロ．その固定面４ａの一側端の、前後端側に切り込みを入れて、切り込み間を裏面側にＬ字形に折り曲げて、案内突起４ｆを形成し、
ｃ．その固定面４ａの前後端を表面側に折り曲げて、次のような掛止片４ｃを形成し、
イ．その掛止片４ｃは、固定面４ａ側を拡張して広い底辺とする等脚台形をほぼ呈し、
ロ．その両脚と固定面４ａ側の底辺との角により、掛止爪４ｄを形成し、
ｄ．その一方の掛止片４ｃを延長して、Ｌ字形に裏面側に折り曲げて、先折面４ｇを形成する。【００４４】Ｅ．図７、図２１、及び図２２に示す、実施例５の施工は、
ａ．下地柱５ｂの下端部に端下地材５ｃを取り付けて、その内壁側に野縁５ａを取り付けた下地５に、
ｂ．次に、その野縁５ａの下面に、軒天６を釘８ａにより釘打ち固定し、
ｃ．次に、次のように水切部材２を取り付け、
イ．水切部材２の水切下面２ｄを、前記の軒天６下面のレベルにほぼ合わせて、
ロ．その水切部材２の固定片２ａを、釘８ａにより釘打ち固定し、
ｄ．その取り付けた水切部材２に、次のように建築用パネル１を合わせて複数施工し、
イ．水切部材２の水切面２ｂに建築用パネル１の切断端１ｌを乗せて、
ロ．その差込部１ｅを固定した、釘打片１ｉを釘８ａにより釘打ち固定し、
ハ．その固定した建築用パネル１の嵌合溝１ｈに、他の建築用パネル１の差込片１ｆを差し込み、その釘打片１ｉを釘８ａにより釘打ち固定し、
ニ．上記を繰り返し、建築用パネル１と建築用パネル１との間に目地部１ｍを形成して複数施工し、
ｅ．次のように支持部材４を施工し、
イ．支持部材４の案内突起４ｆを、前記の固定した水切部材２の案内片２ｅに沿わして、その固定穴４ｂに固定具８の釘８ａにより、固定面４ａを釘打ち固定し、
ｆ．そして、前記の支持部材４の掛止片４ｃに、被覆部材３の被覆面３ａを被せて押し込み、
イ．被覆部材３の係止爪３ｃを、支持部材４の掛止爪４ｄに引っ掛けて、引掛固定し、
ロ．水切部材２の水切下面２ｄと軒天６とに、被覆部材３の被覆面３ａを渡して、
ハ．前記の軒天６を釘打ちした釘８ａを、被覆部材３の被覆面３ａにより被覆し、
ｇ．また、建築用パネル１の施工後に、軒天６の施工も可能である。
【図面の簡単な説明】
【００４５】
【図１】建築用部材使用壁構造の施工状態を示す一部省略斜視図（実施例１）
【図２】建築用部材使用壁構造の施工状態を示す一部省略端面図（実施例１）
【図３】被覆部材の一部省略斜視図（実施例１）
【図４】支持部材の一部省略斜視図（実施例１）
【図５】水切部材の一部省略斜視図（実施例１）
【図６】建築用パネルを示す一部省略斜視図（実施例１〜５）
【図７】建築用パネルの施工状態を示す一部省略斜視図（実施例１〜５）
【図８】建築用部材使用壁構造の施工状態を示す一部省略斜視図（実施例２）
【図９】建築用部材使用壁構造の施工状態を示す一部省略端面図（実施例２）
【図１０】被覆部材の一部省略斜視図（実施例２）
【図１１】水切部材の一部省略斜視図（実施例２）
【図１２】建築用部材使用壁構造の施工状態を示す一部省略斜視図（実施例３）
【図１３】建築用部材使用壁構造の施工状態を示す一部省略端面図（実施例３）
【図１４】被覆部材の一部省略斜視図（実施例３）
【図１５】支持部材の一部省略斜視図（実施例３）
【図１６】水切部材の一部省略斜視図（実施例３）
【図１７】建築用部材使用壁構造の施工状態を示す一部省略斜視図（実施例４）
【図１８】建築用部材使用壁構造の施工状態を示す一部省略端面図（実施例４）
【図１９】被覆部材の一部省略斜視図（実施例４）
【図２０】水切部材の一部省略斜視図（実施例４）
【図２１】建築用部材使用壁構造の施工状態を示す一部省略斜視図（実施例５）
【図２２】建築用部材使用壁構造の施工状態を示す一部省略端面図（実施例５）
【図２３】被覆部材の一部省略斜視図（実施例５）
【図２４】支持部材の斜視図（実施例５）
【図２５】水切部材の一部省略斜視図（実施例１）
【図２６】従来の技術使用壁構造の施工状態を示す一部省略端面図
【符号の説明】
【００４６】１  建築用パネル
２  水切部材
３  被覆部材
４  支持部材
５  下地
６  軒天
７  金属板
８  固定具
９  合成樹脂
【図１】
2005127111.tif 000003
【図２】
2005127111.tif 000004
【図３】
2005127111.tif 000005
【図４】
2005127111.tif 000006
【図５】
2005127111.tif 000007
【図６】
2005127111.tif 000008
【図７】
2005127111.tif 000009
【図８】
2005127111.tif 000010
【図９】
2005127111.tif 000011
【図１０】
2005127111.tif 000012
【図１１】
2005127111.tif 000013
【図１２】
2005127111.tif 000014
【図１３】
2005127111.tif 000015
【図１４】
2005127111.tif 000016
【図１５】
2005127111.tif 000017
【図１６】
2005127111.tif 000018
【図１７】
2005127111.tif 000019
【図１８】
2005127111.tif 000020
【図１９】
2005127111.tif 000021
【図２０】
2005127111.tif 000022
【図２１】
2005127111.tif 000023
【図２２】
2005127111.tif 000024
【図２３】
2005127111.tif 000025
【図２４】
2005127111.tif 000026
【図２５】
2005127111.tif 000027
【図２６】
2005127111.tif 000028